(57)【要約】【課題】  電磁シールドされたユニットを電磁シールドされた筐体上に当接させるだけで、両者の電磁シールドを接続して接地電位にできる画像形成装置の接地機構を提供する。【解決手段】  ドキュメントフィーダ２を筐体１０上に当接させたことに応じて、筐体１０の電磁シールドに接続された板バネ４１の突出部４２をドキュメントフィーダ２側に突出させてドキュメントフィーダ２の接触部２４に当接させることで、ドキュメントフィーダ２の電磁シールドを筐体１０の電磁シールドに接続して接地電位にする。【選択図】      図４
2006327153.tif 000002
【特許請求の範囲】
【請求項１】
接地電位に接続されて電磁シールドで覆われた筐体と、前記筐体の上に当接して設けられ、電磁シールドで覆われたユニットとを備えた画像形成装置であって、
前記筐体は、前記ユニットと当接したとき、突出して前記ユニットに接触する筐体突出部を含み、
前記ユニットは、前記筐体突出部が突出したとき接触するユニット接触部を含み、
前記筐体突出部は前記筐体の電磁シールドに接続され、前記ユニット接触部は前記ユニットの電磁シールドに接続される、画像形成装置の接地機構。
【請求項２】
前記筐体は、前記ユニットの搭載面に開口部を有し、
前記ユニットは、前記筐体の開口部を覆うように開閉自在に設けられており、
前記筐体突出部は、前記ユニットが前記開口部を覆うように閉じられたことに応じて、突出する、請求項１に記載の画像形成装置の接地機構。
【請求項３】
前記筐体突出部は、支点に支持されたテコ部材の一方に設けられており、
前記テコ部材は、前記筐体上に前記ユニットが当接したときに他方が押し下げられ、一方が押し上げられて前記筐体突出部を押し上げる、請求項１または２に記載の画像形成装置の接地機構。
【請求項４】
前記テコ部材は、前記筐体の電磁シールドに接続された軸により回動可能に支持される、請求項３に記載の画像形成装置の接地機構。
【請求項５】
さらに、前記ユニットが前記筐体に当接しているとき、前記テコ部材の他方により押し下げられて収縮し、前記ユニットが前記筐体から離れたれたとき、伸張して前記テコ部材の他方を押し上げる弾性部材を含む、請求項３または４に記載の画像形成装置の接地機構。
【請求項６】
前記筐体は、前記テコ部材の一端を押し下げる樹脂で形成された突部を含む、請求項３から５のいずれかに記載の画像形成装置の接地機構。
【発明の詳細な説明】
【技術分野】
【０００１】
この発明は画像形成装置の接地機構に関し、例えば、画像処理部の筐体上にドキュメントフィーダを積層した複合機などの画像形成装置の接地機構に関する。
【背景技術】
【０００２】
例えば、複合機などの画像形成装置は、内蔵されているＣＰＵのクロック信号における整数倍の高調波が放射ノイズとして外部に輻射されると外部機器などに電磁障害を引き起こすため、その対策のために電磁シールドが施されている。画像形成装置は、画像処理部が筐体内に収納され、筐体上に画像読取部が搭載されたドキュメントフィーダが積層されて設置される。筐体とドキュメントフィーダは、それぞれ別個に電磁シールドされている。筐体上にドキュメントフィーダを積層したとき、筐体とドキュメントフィーダの電磁シールドする部材同士が同一の接地電位になるようにしなければ、有効に電磁シールドが作用しない。
【０００３】
特開平ー１１８５６９号公報（特許文献１）には、導電性の筐体の開口部に沿って枠状の導電性の弾性部材を設け、開口部を覆う開閉可能な導電性のカバーの内側に導電性内側部品を取付けておき、カバーを閉じた際に弾性部材と導電性内側部品とが導通することで筐体内部の電磁シールドと、導電性のカバーとを接地電位にすることが記載されている。
【特許文献１】特開平ー１１８５６９号公報（段落番号０００８〜００１０、図２）
【発明の開示】
【発明が解決しようとする課題】
【０００４】
特許文献１に記載された電磁シールド方法において、導電性内側部品として導電性ゴムが使用されている。しかし、使用するうちに導電性ゴムが外れたり、長年の使用により劣化することもある。導電性ゴムに代えて板バネを筐体上に配置しておき、ドキュメントフィーダを閉じたときに、板バネを介してドキュメントフィーダと筐体の電磁シールド同士を接続する方法もあるが、板バネによって指などを負傷する可能性がある。筐体の電磁シールドとドキュメントフィーダの電磁シールドとを外部配線で接続することも考えられるが、そのための作業が必要になる。
【０００５】
そこで、この発明の目的は、電磁シールドされたユニットを電磁シールドされた筐体上に当接させるだけで、両者の電磁シールドを接続して接地電位にできる画像形成装置の接地機構を提供することである。
【課題を解決するための手段】
【０００６】
この発明は、接地電位に接続されて電磁シールドで覆われた筐体と、筐体の上に当接して設けられ、電磁シールドで覆われたユニットとを備えた画像形成装置であって、筐体は、ユニットと当接したとき、突出してユニットに接触する筐体突出部を含み、ユニットは、筐体突出部が突出したとき接触するユニット接触部を含み、筐体突出部は筐体の電磁シールドに接続され、ユニット接触部はユニットの電磁シールドに接続される。
【０００７】
一実施形態では、筐体は、ユニットの搭載面に開口部を有し、ユニットは、筐体の開口部を覆うように開閉自在に設けられており、筐体突出部は、ユニットが開口部を覆うように閉じられたことに応じて、突出する。
【０００８】
具体的には、筐体突出部は、支点に支持されたテコ部材の一方に設けられており、テコ部材は、筐体上にユニットが当接したときに他方が押し下げられ、一方が押し上げられて筐体突出部を押し上げる。
【０００９】
好ましくは、テコ部材は、筐体の電磁シールドに接続された軸により回動可能に支持される。
【００１０】
さらに、ユニットが筐体に当接しているとき、テコ部材の他方により押し下げられて収縮し、ユニットが筐体から離れたれたとき、伸張してテコ部材の他方を押し上げる弾性部材を含む。
【００１１】
好ましくは、筐体は、テコ部材の他方を押し下げる樹脂で形成された突部を含む。
【発明の効果】
【００１２】
この発明によれば、ユニットを筐体上に当接させたことに応じて、筐体の電磁シールドに接続された筐体突出部を突出させてユニット接触部に当接させることで、ユニットの電磁シールドを筐体の電磁シールドに接続して接地電位にすることができるので、２つのユニットの電磁シールドを別の配線や他の手段を介することなく接続して接地電位にできる。
【発明を実施するための最良の形態】
【００１３】
図１はこの発明の一実施形態の接地機構が適用される画像形成装置の一例のコピー機の外観斜視図であり、図２は図１の矢印ＩＩーＩＩ方向から見た正面図である。
【００１４】
コピー機本体１は、図示しないが筐体１０内に画像読取部や画像処理部や印刷部などを内蔵しており、筐体１０上には開口部が形成されており、そこにコンタクトグラス３が嵌め込まれている。コンタクトグラス３上に原稿を下向きに載置することで、コンタクトグラス３の下部に配置された画像読取部による原稿の画像読取が可能になる。
【００１５】
コピー機本体１上には、ユニットとしてのドキュメントフィーダ２が、筐体１０の開口部に設けられているコンタクトグラス３を覆うように開閉自在に配置される。ドキュメントフィーダ２は、原稿載置台２２に載置された読み取り原稿を原稿給送部２１によりコンタクトグラス３上に給送するものである。コピー機本体１の筐体１０の外部表面は、樹脂で形成されているが、内部は板金などの導電性材料により電磁シールドで覆われている。ドキュメントフィーダ２も同様にして、外部表面は樹脂で形成されているが、内部は板金などの導電性材料により電磁シールドで覆われている。
【００１６】
図３は筐体の平面図であり、図４は図３の線ＩＶーＩＶに沿う接地機構の断面を示し、（Ａ）はドキュメントフィーダを開いた状態を示し、（Ｂ）はドキュメントフィーダを閉じた状態を示す。
【００１７】
図３に示すように、筐体１０のコンタクトグラス３の手前側には接地機構４が収納されている。接地機構４は、図４（Ａ），(Ｂ)に示すように、導電性の主軸４３を支点として揺動するテコ部材としての板バネ４１および力点部材４４を含む。主軸４３は図示しない板金などにより保持されていて接地電位になっており、力点部材４４側を支持している。力点部材４４は樹脂で形成されており、板バネ４１の一端にドキュメントフィーダ２側に向くように設けられている。
【００１８】
板バネ４１の他端には突出部４２がドキュメントフィーダ２側に向くように設けられている。板バネ４１と突出部４２はともに導電性材料で形成されている。板バネ４１は力点部材４４側を主軸４３で支持されているので、力点部材４４側を少し押し込むだけで突出部４２の突出量を大きくできる。また、主軸４３を板金などにより保持することで、突出部４２を別途板金などに接続する必要がなくなる。
【００１９】
筐体１０の外壁を構成する樹脂１１には、突出部４２の先端部側が挿入される貫通孔１２と、力点部材４４の先端部側が挿入される貫通孔１３とが形成されている。一方、ドキュメントフィーダ２の筐体１０側の外壁を構成する樹脂２５の内面側には電磁シールドの一部を構成する板金２３が設けられている。
【００２０】
樹脂２５には、筐体１０の突出孔１２に対応した位置に貫通孔２７が形成されており、貫通孔２７には板金２３に接続されたユニット接触部としての導電部２４が埋め込まれている。この導電部２４はドキュメントフィーダ２を閉じたときに突出部４２の先端と電気的に接触する。また、樹脂２５には、筐体１０の貫通孔１３に対応して、筐体１０側に突出する突起部２６が形成されている。突起部２６は、ドキュメントフィーダ２を閉じたときに力点部材４４の先端を押し下げる。この突起部２６は、先端部が丸みを帯びていて、指で触れても負傷しないように、高さが例えば４ｍｍ程度に形成されている。
【００２１】
力点部材４４の下側には、ドキュメントフィーダ２を開いたときに、力点部材４４が元の位置に復帰できるように、力点部材４４の下部と筐体１０内の図示しない所定の位置との間に、弾性部材としてのバネ４５が配置されている。
【００２２】
図４（Ａ）に示すように、ドキュメントフィーダ２が開かれているときには、力点部材４４はバネ４５の伸張力により押し上げられており、その先端面は筐体１０の樹脂１１の外壁面とほぼ同じ面になっている。一方、バネ４５の伸張力により、板バネ４１には主軸４３を中心として時計方向に回動する力が作用しているので、先端に設けられている突出部４２は、引下げられており、その先端面が樹脂１１の外壁面より貫通孔１２内に位置している。
【００２３】
図４（Ｂ）に示すように、ドキュメントフィーダ２が閉じられると、突起部２６が力点部材４４の先端面を貫通孔１３内へ押圧するので、バネ４５が収縮して板バネ４１は反時計方向に回動し、突出部４２が押し上げられて、その先端部がドキュメントフィーダ２の導電部２４に電気的に接触する。
【００２４】
このように、ドキュメントフィーダ２を閉じることで、ドキュメントフィーダ２の電磁シールドを構成する板金２３の電位を筐体１０の接地電位にすることができるので、ドキュメントフィーダ２で放射ノイズが外部に輻射されるのを有効に阻止することができる。また、ドキュメントフィーダ２が開かれているときは、突出部４２は貫通孔１２内に収納され、力点部４４も貫通孔１３内に収納されており、筐体１０の表面には、一切突起物がないので指を引っ掛けたり負傷したりするおそれがない。
【００２５】
なお、上述の説明では、この発明を筐体１０に対して開閉可能に設けられたドキュメントフィーダ２の電磁シールドを筐体１０の電磁シールドに接続するために接地機構４設けたが、これに限ることなく、筐体１０上に他のユニットを載置するときに、そのユニットの電磁シールドを筐体の電磁シールドに接続するために接地機構４を設けてもよい。また、多数のユニットを筐体１０上に積層する場合に、各ユニットの電磁シールドを筐体１０の電磁シールドに接続する場合にも、この発明を適用できる。
【００２６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２７】
【図１】この発明の一実施形態の接地機構が適用される画像形成装置の一例のコピー機の外観斜視図である。
【図２】図１の矢印ＡーＡ方向から見た正面図である。
【図３】筐体の平面図である。
【図４】図３のＢーＢに沿う接地機構を示す要部断面図である
【符号の説明】
【００２８】
１  コピー機本体、２  ドキュメントフィーダ、３  コンタクトグラス、４  接地機構、１０  筐体、１１，２５  樹脂、１２，１３，２７  貫通孔、２３  板金、２４  導電部、２６  突起部、４１  板バネ、４２  突出部、４３  主軸、４４  力点部材、４５  バネ。
【図１】
2006327153.tif 000003
【図２】
2006327153.tif 000004
【図３】
2006327153.tif 000005
【図４】
2006327153.tif 000006